(57)【要約】【課題】余計なコストをかけずにウエットシートを使用単位枚数毎に順次引き抜くことができ、さらに、ウエットシートの乾燥を有効に防止できるウエットシート用包装体を提供する。【解決手段】使用単位枚数毎に順次引き出せるように折られたウエットシートＵＴを収容し、少なくとも使用時にウエットシートＵＴを取り出すための開口部３０を有する収容体１２と、開口部３０を上から覆うようにした可撓性のあるシート状の蓋体１４と、を備えたウエットシート用包装体であって、蓋体１４は、開口部３０を覆った状態において、開口部３０とは重ならないようにして開口部３０の近傍に、ウエットシートＵＴが通過可能なスリット又は小孔からなる取出し口３３を有しており、収容体１２の開口部３０の全周囲に対して、蓋体１４が再貼着再剥離可能となるように、収容体１２及び／又は蓋体１４には接着部１８が設けられている。【選択図】図１
2015063340.tif 000002
【特許請求の範囲】
【請求項１】
使用単位枚数毎に順次引き出せるように折られたウエットシートを収容し、少なくとも使用時に前記ウエットシートを取り出すための開口部を有する収容体と、前記開口部を上から覆うようにした可撓性のあるシート状の蓋体と、を備えたウエットシート用包装体であって、
前記蓋体は、前記開口部を覆った状態において、前記開口部とは重ならないようにして前記開口部の近傍に、前記ウエットシートが通過可能なスリット又は小孔からなる取出し口を有しており、
前記収容体の前記開口部の全周囲に対して、前記蓋体が再貼着再剥離可能となるように、前記収容体及び／又は前記蓋体には接着部が設けられている
ことを特徴とするウエットシート用包装体。
【請求項２】
前記取出し口を形成するためのスリットを湾曲させることで、このスリットの縁部を摘んで捲ることが可能な摘み部が形成され、
前記摘み部を捲ると、前記ウエットシートを前記順次引き出せるように、前記開口部の一部が露出するようになっている
ことを特徴とする請求項１に記載のウエットシート用包装体。
【請求項３】
前記湾曲したスリットの縁部は前記接着部が設けられていない領域を有することを特徴とする請求項２に記載のウエットシート用包装体。
【請求項４】
前記蓋体は、一方の端部側から他方の端部側に向けて捲ることを防止した捲り防止部を、前記他方の端部側に有し、
前記取出し口は、前記一方の端部と前記捲り防止部との間に配置されており、
前記湾曲したスリットは略Ｕ字状又は略コの字状であって、略Ｕ字状又は略コの字状の曲げられた方が前記捲り防止部側を向くように配置されている
ことを特徴とする請求項２又は３に記載のウエットシート用包装体。
【請求項５】
前記湾曲したスリットの両端には、前記摘み部を捲ることを停止するための切れ目が続いて形成されており、
前記切れ目は、前記他方の端部側に向かわないように延伸して形成されている
ことを特徴とする請求項４に記載のウエットシート用包装体。
【発明の詳細な説明】
【技術分野】
【０００１】
本発明はウエットシート用包装体、特に軟質性のあるウエットシート用包装体に関する。
【背景技術】
【０００２】
従来、薬液を染み込ませたティッシュやナプキン等のウエットシート用包装体は、袋状又は箱状の収容体に収容したウエットシートを取り出すための開口部が形成され、その開口部を塞ぐ蓋体を有しており、これによりウエットシートの乾燥を防ぐと共に、取出し可能としている。
このような包装体については、使用する度に蓋体を大きく開けて、開口部からウエットシートを取り出すようになっているものが多い。
しかし、蓋体を大きく開けてウエットシートを取り出すと、その度にウエットシートの液体が蒸発する。特に、携帯用などの軟質性のある包装体については、蓋体は再貼着再剥離可能なように接着剤が塗布されているが、硬質な箱型のウエットシート容器に比べて、開口部をしっかり密封するように蓋体を再貼着することは難しい。このため、ウエットシートは乾燥し易いという問題を抱えている。
【０００３】
このような問題を解決するため、特許文献１のように、蓋体を開けないでもウエットシートを取り出せる包装体が提案されている。
即ち、特許文献１の図４に示されるように、シール部材（蓋体）３００は、包装袋１００の第一の開口部１００ｃの上に配置されるように、第二の開口部３００ａを有している。これにより、第一の開口部１００ｃ及び第二の開口部３００ａをウエットシートが連続して通過し、シール部材３００を剥離しなくても、ウエットシートを取り出せるようなっている。
さらに、特許文献１は、その図５に示されるように、第二の開口部３００ａに取り出し口部材４００が取付けられ、この取り出し口部材４００は、ウエットシートを使用単位分だけ取り出せるように小孔を有している。従って、特許文献１では、ウエットシートを引き抜いた際、その図８に示されるように、取り出し口部材から次のウエットシートの頭だけが出るようにし、その頭を摘んでウエットシートを順次引き抜くことができ、また、ウエットシートを取り出すための開口面積がより小さくなって、ウエットシートの乾燥も抑制される。
【先行技術文献】
【特許文献】
【０００４】
【特許文献１】特許第４２５３２４０号公報
【発明の概要】
【発明が解決しようとする課題】
【０００５】
ところが、特許文献１は、例えばウエットシートを長時間使用しない場合において、取り出し口部材４００にウエットシートの頭を残さずに、ウエットシートを包装体１００の中に完全に収容して蓋をした際、取出し口部材４００の小孔を通じて、ウエットシートの液体が蒸発してしまうことは避けられない。また、特許文献１では、ウエットシートを使用単位枚数毎に順次引き抜くために、取り出し口部材４００を使用しなければならず、包装体がコスト高になってしまう。
本発明は、余計なコストをかけずにウエットシートを使用単位枚数毎に順次引き抜くことができ、さらに、ウエットシートの乾燥を有効に防止できるウエットシート用包装体を提供することを目的とする。
【課題を解決するための手段】
【０００６】
上記課題は、本発明によれば、使用単位枚数毎に順次引き出せるように折られたウエットシートを収容し、少なくとも使用時に前記ウエットシートを取り出すための開口部を有する収容体と、前記開口部を上から覆うようにした可撓性のあるシート状の蓋体と、を備えたウエットシート用包装体であって、前記蓋体は、前記開口部を覆った状態において、前記開口部とは重ならないようにして前記開口部の近傍に、前記ウエットシートが通過可能なスリット又は小孔からなる取出し口を有しており、前記収容体の前記開口部の全周囲に対して、前記蓋体が再貼着再剥離可能となるように、前記収容体及び／又は前記蓋体には接着部が設けられているウエットシート用包装体により解決される。
【０００７】
本発明のウエットシート用包装体によれば、ウエットティッシュ・ナプキン等のウエットシートを収容し、少なくとも使用時にウエットシートを取り出すための開口部を有する収容体と、開口部を上から覆うようにした可撓性のあるシート状の蓋体と、を備えている。従って、可撓性のあるシート状の蓋体を捲って開口部を露出させ、そこからウエットシートを引き出せる。
そして、蓋体は、使用単位枚数毎に順次引き出せるように折られたウエットシートが通過可能なスリット又は小孔からなる取出し口を有している。このため、蓋体を捲って開口部から引き出したウエットシートの先端部をこの取出し口に通して、再び、蓋体で開口部を覆えば、次回からは、蓋体を大きく開けなくても、取出し口からウエットシートを取り出せる。具体的には、ウエットシートが取出し口を通過する際、その次のウエットシートのシート片が取出し口のスリットや小孔の縁部にひっかかって、次のウエットシートも連続して排出してしまう所謂「ズル」を防ぎながら、使用単位枚数毎に順次引き出すことができる。
ここで、この取出し口は、蓋体が開口部を覆った状態において、開口部とは重ならないようにして配置され（取出し口と開口部は上から視認した際、互いに異なる位置にあり）、少なくとも開口部と取出し口は連続して形成されているわけではないので、ウエットシートの液体が取出し口から蒸発し難い状態を作ることができる。
しかも、収容体の開口部の全周囲に対して、蓋体が再貼着再剥離可能となるように、収容体及び／又は蓋体には接着部が設けられている。従って、長時間使用しない場合は、ウエットシートの全てを収容体の内側に収容すれば、開口部の全周辺において蓋体と収容体とを密着させて、確実に乾燥を防止することができる。
この点、液体が蒸発するとすれば、使用時において、開口部から取出し口に至るまでの間のウエットシートが存在する領域を通じてであるが、本発明の取出し口は開口部の近傍に配置されているため、この蒸発の程度を左右する「開口部と取出し口との間の領域」は狭い。従って、より有効に液体の蒸発を防止できる。
そして、このようなウエットシートの液体の蒸発防止は、蓋体に形成されたスリットや小孔だけで可能であり、他の部材を必要としない。従って、ウエットシート用包装体のコストを抑えることもできる。
【０００８】
また、好ましくは、前記取出し口を形成するためのスリットを湾曲させることで、このスリットの縁部を摘んで捲ることが可能な摘み部が形成され、前記摘み部を捲ると、前記ウエットシートを前記順次引き出せるように、前記開口部の一部が露出するようになっていることを特徴とする。
そうすると、摘み部を捲って露出した開口部の一部から、使用単位枚数毎にウエットシートを順次取り出すことができる。そして、ウエットシートは露出した開口部から直接取り出されるため、ウエットシートの液体が開口部周辺等へ付着する量を少なくすることができる。従って、蓋体と収容体の開口部周辺との再貼着性を向上させて、ウエットシートの乾燥をより効果的に防止できる。
【０００９】
また、好ましくは、前記湾曲したスリットの縁部は前記接着部が設けられていない領域を有することを特徴とする。従って、この接着部が設けられていない部分を摘み易くなり、摘み部を容易に捲ることができる。
【００１０】
また、好ましくは、前記蓋体は、一方の端部側から他方の端部側に向けて捲ることを防止した捲り防止部を前記他方の端部側に有し、前記取出し口は、前記一方の端部と前記捲り防止部との間に配置されており、前記湾曲したスリットは略Ｕ字状又は略コの字状であって、略Ｕ字状又は略コの字状の曲げられた方が前記捲り防止部側を向くように配置されていることを特徴とする。
そうすると、蓋体は、一方の端部側から他方の端部側に向けて捲ることを防止した捲り防止部を、他方の端部側に有しているため、蓋体を一方の端部側から大きく捲って、開口部からウエットシートを引き出す際、捲り過ぎて蓋体全体が収容体から離れてしまう事態を防止できる。
そして、取出し口を形成するための湾曲したスリットは略Ｕ字状又は略コの字状であって、略Ｕ字状又は略コの字状の曲げられた方が捲り防止部側を向くように配置されている。このため、上述のように蓋体を大きく捲るに際して、蓋体を支障なく捲ることができる。即ち、仮にスリットがＵ字状であって、そのＵ字状の上側（湾曲した部分と反対側）が捲り防止部側を向いてしまうと、蓋体を捲り防止手段まで捲ろうとしても、湾曲したスリット（取出し口）がアンカーとなって捲ることを防止してしまう事態になる。そこで、このような事態を回避して、蓋体を支障なく大きく捲ることができるようにしている。
【００１１】
また、好ましくは、前記湾曲したスリットの両端には、前記摘み部を捲ることを停止するための切れ目が続いて形成されており、前記切れ目は、前記他方の端部側に向かわないように延伸して形成されている。
そうすると、湾曲したスリットの両端には、摘み部を捲ることを停止するための切れ目が続いて形成されているので、摘み部を捲り過ぎてスリットの先端が続いて切れてしまう事態を防止できる。
そして、この切れ目は、他方の端部側に向かわないように延伸している（摘み部を捲る方向と反対側に戻るように延伸していない）。このため、上述のように蓋体を一方の端部側から他方の端部側に向かって大きく捲る際、当該切れ目がその蓋体を捲ることの妨害とはならず、従って、蓋体を支障なく大きく捲ることもできる。
【発明の効果】
【００１２】
以上、本発明は、余計なコストをかけずにウエットシートを使用単位枚数毎に順次引き抜くことができ、さらに、ウエットシートの乾燥を有効に防止できるウエットシート用包装体を提供することができる。
【図面の簡単な説明】
【００１３】
【図１】本発明の第１の実施形態に係るウエットシート用包装体であり、図１（ａ）はその概略斜視図、図１（ｂ）は図１（ａ）の概略Ａ−Ａ断面図。
【図２】図１の捲り防止部の変形例。
【図３】図１の取出し口の変形例。
【図４】図１の包装体の使用方法。
【図５】図１の包装体の図４に続く使用方法。なお、図５（ｃ）は図５（ｂ）の取出し口付近のＢ−Ｂ断面図。
【図６】本発明の第２の実施形態に係るウエットシート用包装体の概略斜視図。
【図７】図７（ａ）は図６の取出し口からウエットティッシュを取り出している第１の使用状態図、図７（ｂ）は図６の取出し口からウエットティッシュを取り出している第２の使用状態図。
【図８】図６の蓋体の取出し口付近の別の形態を表す図。
【図９】本発明の第２の実施形態に係る第１の変形例であって、ウエットシート用包装体の取出し口付近の拡大図であり、図９（ａ）は摘み部を捲った状態の図、図９（ｂ）は摘み部を閉じた状態の図。
【図１０】本発明の第２の実施形態に係る第２の変形例であって、ウエットシート用包装体の取出し口付近の拡大図。
【図１１】本発明の第２の実施形態に係る第３の変形例であって、ウエットシート用包装体の取出し口付近の拡大図。
【図１２】図１１の摘み部付近のＣ−Ｃ断面図。
【図１３】本発明の第２の実施形態に係る第４の変形例であって、ウエットシート用包装体の蓋体の拡大図。
【発明を実施するための形態】
【００１４】
以下に、本発明の好ましい実施形態を、図面を参照して詳しく説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
また、以下の図において、同一の符号を付した箇所は同様の構成である。
【００１５】
〔第１の実施形態〕
図１は第１の実施形態に係るウエットシート用包装体（以下、「包装体」という）１０であり、この包装体１０は、複数枚のウエットシートＵＴを収容する本体である収容体１２と、蓋体１４とからなっている。
収容体１２は、アルミニウム、ポリエチレンラミネートフィルム等の気密性を有するフィルム素材からなり、全体的に軟質性ないし可撓性を有している。
図の収容体１２は、長手方向Ｘの一方の端部１２Ａと他方の端部１２Ｂとが熱圧着されて閉じており、最も大きな面積を有する２つの主面１２Ｃ，１２Ｄと、側面１２Ｅ，１２Ｆを有する袋状とされ、全体的に略直方体に形成されている。
なお、本実施形態の収容体１２は、上述のように全体的に軟質性を有しているため、ポケット等に入れても強張らず、携帯性に優れたものとして利用できるが、本発明はこのような形態に限られず、収容体１２は所定の剛性を有していても構わない。
【００１６】
このような収容体１２は、少なくとも使用時にウエットシートＵＴを取り出すための、厚み方向に貫通した孔である開口部３０を有している。即ち、主面１２Ｃに予め開口部３０が形成されているか、或いは使用時に切り取って開口部３０が形成されるようになっている。
本実施形態の場合、使用前の流通時等にウエットシートの薬液の液体成分が蒸発して乾燥しないように、使用時に切り取って開口部３０が形成される。具体的には、使用前の収容体１２は、開口部３０の輪郭の位置にミシン目等の破断線２８が形成されており、使用時にこの破断線２８を切り取り、破断線２８に囲まれた領域（即ち、開口部が形成される予定部であって「開口予定部」）ＡＲを除去することで、開口部３０が形成される。この破断線２８の切り取り方法、及び開口予定部ＡＲの除去方法については、後で説明する。
なお、図１の開口部３０は略長円形状又は略楕円形状であるが、本発明の開口部の形状はこれに限られず、例えば略四角形状であっても構わない。
【００１７】
収容体１２に収容される複数のウエットシートＵＴは、清拭等のための薬液を染み込ませた紙または不織布で形成したウエットタイプのナプキンもしくはティッシュ等のシート体であって、使用単位枚数ＵＴ１〜ＵＴ３毎に順次引き出せるように折り畳まれている。例えば使用単位枚数ＵＴ１，ＵＴ２，ＵＴ３が、順次その一部が互いの間に入って重なるように折り返されて収納されている。この場合、ウエットシートＵＴが折られた折り線Ｑは、収容体１２の長手方向Ｘと一致している。
これによって、使用者は、図１（ｂ）のＵＴ１を引き出すと、次のＵＴ２のＵＴ１と重なっている部分ＵＴａまでが開口部３０を介して、後述する取出し口３３から引き出され、取出し口３３の機能によって、ＵＴ１とＵＴ２は分離して取り出される（取出し口３３については後で詳述する）。
なお、図では３つの使用単位枚数ＵＴ１，ＵＴ２，ＵＴ３のみを図示しているが、収容体１２に収容されるウエットシートＵＴの使用単位枚数はこれに限られず、また、ウエットシートＵＴの折り方も図示される折り方に限られず、公知の折り方を使用できる。
【００１８】
蓋体１４は、開口部３０（開口予定部ＡＲ）を上から覆って塞ぐようにしたカバーであり、可撓性のあるシート状とされている。
具体的には、図１（ｂ）の一点鎖線で囲った拡大図に示されるように、ポリエチレン、ポリプロピレン、ポリエステル、ポリアミド等の合成樹脂シート等からなる基層１７を有している。
基層１７の上には図１（ａ）に示すように「ＯＰＥＮ」の文字や図形等が印刷されており、この印刷を保護するため、基層１７の上側にはコーティング層１６が設けられている。
そして、基層１７の下側（収容体１２側）には接着部１８が設けられている。接着部１８は、収容体１２に対して再貼着及び再剥離可能な接着剤からなり、例えば、ポリエステル系、アクリル系の感圧接着剤を利用できる。本実施形態の蓋体１４は、図１（ａ）の「ＯＰＥＮ」の文字を有する一方の端部１４ａ側に接着部１８が設けられておらず、それ以外の裏面には接着部１８が設けられている。
このようにして、蓋体１４は、繰り返して、捲ったり、収容体１２に貼り付けたりすることができ、また、一方の端部１４ａ側には接着部１８が配設されていないので、容易に蓋体１４を一方の端部１４ａ側から他方の端部１４ｂ側に向けて捲ることができる。
【００１９】
また、蓋体１４は、一方の端部１４ａ側とは反対の他方の端部１４ｂ側に、一方の端部側１４ａから他方の端部１４ｂ側に向けて捲られることを防止した捲り防止部２５を有している。これにより、蓋体１４を大きく捲っても、収容体１２から蓋体１４全体が剥離してしまう事態を防止できる。
捲り防止部２５は、図１（ａ）では、他方の端部１４ｂ側を上側、一方の端部１４ａ側を下側にした略Ｕ字状の切り込みであり、蓋体１４を他方の端部１４ｂまで捲っても、捲り防止部２５が捲られずに残って、これがアンカーの役割を果たすようになっている。
なお、本発明の捲り防止部２５は、このような略Ｕ字状の切り込みに限られるものではなく、例えば、図２（ａ）に示すように、略コの字状の捲り防止部２５−１であっても構わない。また、図２（ｂ）に示すように、蓋体を捲る方向Ｘと直交する方向Ｙの側面１４ｃ，１４ｄから他方の端部１４ｂ側に向かって切り込まれた捲り防止部２５−２であっても構わない。或いは、他方の端部１４ｂと収容体１２とを剥離不可能なように接合しても構わない。
【００２０】
ここで、図１（ａ）に示すように、蓋体１４を捲らなくてもウエットシートＵＴを取り出せるように、ウエットシートＵＴが通過可能な取出し口３３が蓋体１４に形成されている。
図１（ａ）の場合、取出し口３３は、開口部３０と捲り防止部２５との間に配置され、スリットから形成されている。具体的に、取出し口３３は、アルファベットの「Ｉ」の文字のように、比較的長いスリット部分３３ａと、この長いスリット部分３３ａの両端において、スリット部分３３ａの長手方向と直交する方向に沿って形成された短いスリット部３３ｂとを有している。これにより、ウエットシートが取出し口３３を通過する際、図１（ａ）の一点鎖線で囲ったスリット３３の拡大図に示すように、スリット部３３ａが所定の弾性力を発揮しながら開いて、ウエットシートのシート片がスリット部３３ａの縁にひっかかって、次のウエットシートも連続して排出してしまう所謂「ズル」を防いでいる。
なお、本発明の取出し口３３の形状は図１（ａ）の形状に限られるものではなく、例えば図３（ａ）のように、切れ込みがより広がり易い十字状であっても構わず、或いは、図３（ｂ）に示すように、円形状等の小孔であっても構わない。
【００２１】
このような取出し口３３は、図１（ａ）に示すように、蓋体１４が開口部３０を覆った状態において、開口部３０とは重ならないように配置されている。即ち、開口部３０と取出し口３３とは上から見て互いに離間し、所定の離間寸法Ｗ１を有しており、これにより、開口部３０から引き出されたウエットシートＵＴは、この離間寸法Ｗ１の領域ＨＰを通過して取出し口３３から取り出されるようになっており、開口部３０から直接、液体が蒸発する事態が回避されている。
【００２２】
また、収容体１２の開口部３０の全周囲に対して、蓋体１４が再貼着再剥離可能となるように、収容体１２及び／又は蓋体１４には接着部１８が設けられている。本実施形態の場合、上述のように、接着部１８は蓋体１４の側に設けられ、また、捲り始めとなる一方の端部１４ａを除く全面に設けられている。これにより、図１のようにウエットシートＵＴの全てを収容体１２の中に収めた状態では、開口部３０の全周囲において蓋体１４と収容体１２とを密着させて、確実に乾燥を防止できる。また、後述する図５（ｂ）のようにウエットシートの端部ＵＴａを取出し口３３から露出させた状態でも、開口部３０、領域ＨＰ、及び取出し口３３の全周囲において、蓋体１４と収容体１２とが密着して、ウエットシートの液体が蒸発する事態を有効に防止できる。
【００２３】
さらに、取出し口３３は開口部３０の近傍に配置され、開口部３０と取出し口３３との離間寸法Ｗ１は小さく設定されている。
このように取出し口３３を開口部３０の近傍に配置することで、ウエットシートを離間寸法Ｗ１の領域ＨＰを通過させて、取出し口３３から問題なく取り出すことができる。即ち、離間寸法Ｗ１が大き過ぎると、そこを通るウエットシートとの摩擦が大きくなって、取出し口３３から次に取り出そうとするウエットシートの端部が露出しなくなる恐れがあるため、そのような恐れを防止している。なお、離間寸法Ｗ１は取出し口３３の形状に応じて設定するのが好ましく、例えば図３（ａ）のように切れ込みがより広がり易い十字状の場合、離間寸法Ｗ１は本実施形態に比べて多少長めに設定しても構わない。
また、取出し口３３を開口部３０の近傍に配置することで、領域ＨＰは小さな面積となるため、ウエットシートの液体成分が蒸発する要因を出来るだけ取り除くことができる。即ち、本実施形態の蓋体１４及び収容体１２は可撓性ないし軟質性を有するため、蓋体１４と収容体１２とが撚れによって完全に密着できないことが想定されるが、そのような撚れの発生を有効に防止でき、また、仮に蓋体１４や収容体１２が撚れたために、蓋体１４と収容体１２との間に隙間が生じ、そこから液体成分が蒸発したとしても、領域ＨＰが小さいため、その蒸発を抑えることもできる。
以上のように、離間寸法Ｗ１（取出し口３３の開口部３０に対する近傍の程度）は、ウエットシートとの摩擦や取出し口３３の形状、及び、蓋体１４や収容体１２の撚れ易さ（撓み易さ）を総合的に考慮して決めるのが好ましい。
【００２４】
次に、本実施形態の包装体１０の使用方法を主に図４及び図５で説明する。
図１の包装体１０を購入した使用者は、図４に示すように、先ず初めに、蓋体１４を一方の端部１４ａから開口部３０よりも他方の端部１４ｂ側に大きく捲る。そうすると、蓋体１２の裏面には一方の端部１４ａを除く領域に接着部１８が設けられているため、この接着部１８には開口予定部ＡＲが貼り付いており、その状態で蓋体１４を捲ると、破断線２８（図１参照）が切り取られて、開口予定部ＡＲは収容体１２から除去され（図４のように、開口予定部ＡＲは蓋体１４の裏面に着いたままとなる）、開口部３０が形成される。
また、この蓋体１４を大きく捲る際、蓋体１４には捲り防止部２５が形成されているため、蓋体１４が収容体１２から完全に剥がれてしまうことは防止されている。
【００２５】
次に、図５（ａ）に示すように、露出した開口部３０からウエットシートＵＴのシート片（端部）を指で摘んで引出し、それを蓋体１４の裏側から取出し口３３に挿入して、表側に当該シート片を露出させる。
次に、図５（ｂ）（ｃ）に示すように、取出し口３３にシート片ＵＴａを挿通させたまま、蓋体１４を閉じる。そうすると、開口部３０、取出し口３３、及び開口部３０と取出し口３３との間の領域ＨＰに存在するウエットシートＵＴの周辺全体（図５（ｂ）の並行斜線の領域）は、蓋体１４と収容体１２とが貼着する。このため、取出し口３３から露出したシート片ＵＴａ、及びその根元付近に染みこんだ薬液の液体成分のみが専ら蒸発することになり、従って、少なくとも収容体１２に収容されたウエットシートＵＴの乾燥を有効に防止できる。
また、取出し口３３は開口部３０の近傍に配置されているため、蓋体１４と収容体１２とが撚れて密着してしまうことを防止でき、また、例えば図５（ｂ）のＰＴの部分で蓋体１４と収容体１２との間に隙間があっても、その隙間の程度を抑えられる。
【００２６】
そして、図５（ｂ）の状態は使用し続けても維持される。すなわち、使用者は、取出し口３３から露出したシート片ＵＴａを指で摘んで引き出すと、次に使用されるウエットシートがスリットからなる取出し口３３に引っかかって（図１（ａ）のスリット部分３３ａ，３３ａの縁に挟持されて）、次に使用されるウエットシートのシート片のみが露出して、繰り返してウエットティッシュを取り出しても、取出し口３３からシート片ＵＴａのみが露出した図５（ｂ）の状態になる。
また、ウエットシートＵＴを長時間使用しない場合は、蓋体１４を開けて、その裏側からシート片ＵＴａを取出し口３３から引き抜いて、ウエットシートＵＴの開口部３０から露出した部分を収容体１２の内側に収め、そして、蓋体１４を閉じるのが好ましい。これにより、開口部３０の全周囲において、蓋体１４と収容体１２とが密着して、余計な隙間がない限り、確実にウエットシートＵＴの乾燥を防止できる。
なお、上述の使用方法では、ウエットシートＵＴを取出し口３３から引き抜く方法を説明したが、例えば連続してウエットシートＵＴを取り出さない場合などは、蓋体１４を開けて、ウエットシートＵＴを開口部３０から直接取りだすこともできる。
また、本包装体１０は、取出用の開口を有するウエットシート用のボックスに入れて使用することもでき、この場合、上述した取出し口３３の機能が有効に発揮されて、ウエットシートを連続して排出してしまう所謂「ズル」を防ぐこともできる。
【００２７】
〔第２の実施形態〕
次に、本発明の第２の実施形態を図６及び図７で説明する。
図６は該第２の実施形態に係る包装体４０の概略斜視図、図７（ａ）は図６の取出し口３７からウエットティッシュを取り出している第１の使用状態、図７（ｂ）は図６の取出し口３７からウエットティッシュを取り出している第２の使用状態を図示している。なお、これらの図は、図１の開口予定部ＡＲを除去した後を図示している。
これらの図の包装体４０が図１〜図５の包装体１０と異なるのは、取出し口３７についてである。
すなわち、取出し口３７は、湾曲したスリットから形成され、図６の場合、この湾曲したスリットは略Ｕ字状又は略コの字状とされている。
そして、蓋体１４はある程度の弾性力を有している。従って、第１の使用方法を表した図７（ａ）に示すように、ウエットティッシュを引っ張って取出し口３７から取り出すと、蓋体１４が重りになって、次に取り出そうとするウエットティッシュを押さえ、所謂ズルを防止しながら、ウエットティッシュを順次取り出せる。
また、蓋体１４は、平面視で開口部３０とは重ならないようにして、開口部３０の近傍にスリットからなる取出し口３７を有しており、かつ、開口部３０の全周囲に対して再貼着再剥離可能であるため、上述した第１の実施形態の包装体と同様の機能を発揮する。
【００２８】
さらに、図６に示すように、取出し口３７を形成するためのスリットは湾曲しているため、その縁部３８を摘んで捲ることが可能な舌片状の摘み部３６が形成されている。
具体的には、取出し口３７を形成するスリットの湾曲は、開口部３０周縁のうち最も急な湾曲部分３０ａ（開口部３０が形成される使用前では破断線の急な湾曲部分２８ａ）に略沿って形成され、また、該スリットと開口部３０とは長手方向Ｙについて重なる領域ＥＲ１を有している。
これにより、摘み部３６を捲ると、第２の使用方法を表した図７（ｂ）に示すように、開口部３０の一部３０−１が露出するようになっている。従って、図７（ａ）のように、スリット状の取出し口３７から、片手でウエットシートを取り出すことが出来るだけではなく、図７（ｂ）に示すように、もう片方の手で摘み部３６を捲り、それにより露出した一部３０−１からウエットシートＵＴを取り出すこともできる。そして、このように摘み部３６を捲って露出した開口部３０の一部３０−１からウエットシートＵＴを取り出す場合は、開口部３０と取出し口３７との間の領域ＨＰを通らずに、ウエットシートを直接取り出すことが出来るため、薬液の領域ＨＰへの付着を抑えることができる。なお、摘み部３６は蓋体１４の一部であり、図１（ｂ）に示すように裏面（但し、後述するように先端部だけは除く）に接着部１８を有している。
従って、蓋体１４の一部である摘み部３６と収容体１２の開口部３０周辺との再貼着性を向上させて、ウエットシートの乾燥をより効果的に防止できる。
【００２９】
図７（ｂ）の露出した一部３０−１は、ウエットシートＵＴを順次引き出せる程度の比較的小さな孔（所謂「ズル」が防止される小孔）とされている。従って、例えば、図１（ｂ）の一番上にあるウエットシートＵＴ１を取り出した場合、次に取り出されるウエットシートＵＴ２は、図７（ｂ）の露出した一部３０−１の縁部（図では開口部周縁の急な湾曲部分）３０ａに擦れ、その摩擦抵抗で、図１（ｂ）のＵＴ２のＵＴ１と重なっている部分（シート片）ＵＴａのみが、図７（ｂ）の露出した一部３０−１から露出するようになっている。
【００３０】
図６の取出し口３７を形成するための湾曲したスリットの縁部３８は、接着部１８（図１参照）が設けられていない領域（図６の２本の一点鎖線で挟まれた領域）ＲＹを有している。そうすると、摘み部３６の先端部には接着部が設けられていない状態となり、従って、摘み部３６を容易に摘んで捲り易くなる。なお、図６の接着部が設けられていない領域ＲＹは製造上の容易さから蓋体１４の短手方向Ｙ全体にわたって帯状に形成されているが、本発明はこのような形態に限られず、摘み部３６の先端部のみに接着部を設けないようにしてもよい。
【００３１】
また、取出し口３７を形成するスリットは、蓋体１４の捲り始めとなる一方の端部１４ａと捲り防止部２５との間に配置されており、そのスリットの略Ｕ字状又は略コの字状の曲げられた方（即ち、摘み部３６の先端部）が捲り防止部２５側を向くように配置されている（換言すれば、取出し口３７を形成するスリットは、一方の端部１４ａ側を上側、他方の端部１４ｂ側を下側にする略Ｕ字状、又は、一方の端部１４ａ側を左側、他方の端部１４ｂ側を右側にする略コの字状の切り込みである）。従って、蓋体１４を一方の端部１４ａ側から大きく捲るに際して、該スリットがその捲りを防止するアンカー機能を発揮することなく、蓋体１４を支障なく大きく捲ることができる。
【００３２】
また、取出し口３７を形成するスリットの両端には、摘み部３６を一方の端部１４ａ側に捲ることを停止するための切れ目４１が続いて形成されており、摘み部３６を捲り過ぎてスリットの先端が続いて切断される事態を防止している。
この切れ目４１は、図８のような他方の端部１４ｂ側に折り返した形状とはされないようになっている。即ち、図６に示すように、切れ目４１は、蓋体１４の一方の端部１４ａと他方の端部１４ｂとを結ぶ仮想線（図の場合は長手方向）Ｘと直交する仮想線（図の場合は短手方向）Ｙに沿って延伸するか、或いは、仮想線Ｙの成分を有するように一方の端部１４ａに向かって延伸している（図６では斜めに外側に向かって延伸している）。このため、蓋体１４を一方の端部１４ａ側から他方の端部１４ｂ側に向かって大きく捲る際、当該切れ目４１がアンカーの機能を果たして、当該蓋体１４の捲りを妨害することにはならない。
【００３３】
〔第２の実施形態の第１の変形例〕
次に、本発明の第２の実施形態の第１の変形例を図９で説明する。
図９は該第１の変形例に係る包装体５０の取出し口３７付近の拡大図であり、図９（ａ）は摘み部３６を捲った状態の図、図９（ｂ）は摘み部３６を閉じた状態の図である。
図９の包装体５０が図６の包装体４０と異なるのは、摘み部３６を捲った際の開口部３０の露出度である。
すなわち、本第１の変形例では、摘み部３６を捲った際に露出する開口部３０の一部３０−２の開口面積が、図７（ｂ）の一部３０−１の開口面積より小さくなるように調整された小孔とされている（即ち、図６のＥＲ１より図９のＥＲ２の長さを小さくすることで）。そうすると、図７（ａ）ではシート片ＵＴａは取出し口３７から大きく飛び出しているが、本変形例では、図９（ａ）に示すように、使用時において、ウエットシートと露出した一部３０−２との摩擦抵抗が大きくなって、シート片ＵＴａを取出し口３７から小さく飛び出させることができる。これにより、図９（ｂ）に示すように、摘み部３６を閉じた際、摘み部３６で一部３０−２から飛び出たシート片ＵＴａを完全に覆うことができる。従って、未使用時に摘み部３６を閉じておきさえすれば、ウエットシートの液体成分の蒸発をより有効に防止できる。
【００３４】
〔第２の実施形態の第２の変形例〕
次に、本発明の第２の実施形態の第２の変形例を図１０で説明する。
図１０は該第２の変形例に係る包装体６０の取出し口３７付近の拡大図であり、この図の包装体６０が図６の包装体４０と異なるのは、開口部３０の縁３０ａにスリット６２が形成されている点である。
このスリット６２は、開口部３０の縁３０ａからウエットシートを引き貫く方向に向かって延伸した切れ目であり、図１０の場合、開口部３０の他方の端部１４ｂ側の縁３０ａから、他方の端部１４ｂ側に向かって延伸している。
【００３５】
これにより、最初の使用単位枚数のウエットティッシュを取り出すと、スリット６２に次の使用単位枚数のウエットティッシュがひっかかって、当該次の使用単位枚数のウエットシートのシート片ＵＴａだけを一部３０−１から露出させることができる。
そして、このスリット６２により、摘み部３６を捲って露出する開口部３０の一部３０−１の開口面積を図９のように微妙に調整しなくても、摘み部３６を閉じた際にシート片ＵＴａが摘み部３６に隠れるように、シート片ＵＴａの飛び出し寸法Ｌ１を設定できる。
なお、本変形例のスリット６２の幅Ｗ２は、開口部３０側が広く、他方の端部１４ｂ側に向かって除々に狭くなっており、ウエットシートを取り出す際、該ウエットシートをスリット６２内に入れ易くしている。
【００３６】
〔第２の実施形態の第３の変形例〕
次に、本発明の第２の実施形態の第３の変形例を図１１及び図１２で説明する。
図１１は該第３の変形例に係る包装体７０の取出し口３７付近の拡大図、図１２は図１１の摘み部３６付近のＣ−Ｃ断面図である。
これらの図に示される包装体７０が図６の包装体４０と異なるのは、摘み部３６の根元に脆弱部７２が形成されている点である。
【００３７】
即ち、包装体７０は、摘み部３６の根元が摘み部３６の他の領域に比べて曲げ剛性が低い脆弱部７２を有している。この脆弱部７２は、取出し口３７を形成するためのスリットの両先端部３７ａ，３７ａを繋ぐように帯状に形成されている。
具体的には、摘み部３６は蓋体１４の一部であって、図１２に示すように、基層１７と、最下層の接着部１８と、上層（コーティング層）１６とからなっており、このうち摘み部３６の根元部分には上層１６を設けず、これにより脆弱部７２が形成されている。
このため、摘み部３６は図１１のＲ方向に捲り易くなると共に、その捲った状態を保持し易くなり、ウエットシートを開口部３０の一部３０−１から取り出す際、ウエットシートの薬液が摘み部３６の裏面の接着部１８に付着し難くなる。従って、摘み部３６の収容体１２に対する再貼着性が損なわれることを有効に防止できる。
【００３８】
〔第２の実施形態の第４の変形例〕
次に、本発明の第２の実施形態の第４の変形例を図１３で説明する。
図１３は該第４の変形例に係る包装体８０の蓋体１４の拡大図である。
図１３に示される包装体８０が図６の包装体４０と異なるのは、摘み部３６の根元に形成された切れ目４２の形状である。
すなわち、蓋体１４は、取出し口３７を形成するスリットの両端に、摘み部３６を一方の端部１４ａ側に捲ることを停止するための切れ目４２，４２が続いて形成されているが、この両端の切れ目４２，４２は、互いに接近する方向（図の摘み部３６の幅方向の中心線ＣＬ）に向かって斜めに延伸している。
これにより、図６の切れ目４１と同様に、摘み部３６を捲り過ぎてスリットの先端が続いて切断される事態を防止でき、さらに、２つの切れ目４２，４２の間に出来るだけ応力を集中させて、摘み部３６を捲り易くし、その捲った状態を保持し易くしている。
【００３９】
ところで本発明は上記実施の形態に限定されるものではなく、上述の実施形態の個別の構成は、必要により省略したり、説明しない他の構成と組み合わせたりしてもよい。
例えば、上述した各実施形態の収容体１２は袋状であるが、本発明の収容体１２は箱状であっても構わない。
また、上述した各実施形態の取出し口３３，３７は、接着部が設けられていない一方の端部１４ａとは反対側に配置されているが、本発明はこれに限られず、一方の端部１４ａ側に配置されても構わない。
また、図６乃至図１３の摘み部３６の形状は全体的に略Ｕ字状であるが、本発明はこれに限られず、例えば、略Ｃ字状、又は略コの字状等であってもよい。
【符号の説明】
【００４０】
１０，４０，５０，６０，７０，８０・・・ウエットシート用包装体（包装体）、１２・・・収容体、１４・・・蓋体、１８・・・接着部、２５・・・捲り防止部、３０・・・開口部、３３，３７・・・取出し口、３６・・・摘み部、４１，４２・・・切れ目
【図１】
2015063340.tif 000003
【図２】
2015063340.tif 000004
【図３】
2015063340.tif 000005
【図４】
2015063340.tif 000006
【図５】
2015063340.tif 000007
【図６】
2015063340.tif 000008
【図７】
2015063340.tif 000009
【図８】
2015063340.tif 000010
【図９】
2015063340.tif 000011
【図１０】
2015063340.tif 000012
【図１１】
2015063340.tif 000013
【図１２】
2015063340.tif 000014
【図１３】
2015063340.tif 000015